(57)【要約】【課題】  従来の安定化電源装置は、負荷変動により生じる電源電圧変動を抑えるために、コンデンサ容量を大きくしたり、負荷変動の期間のみ電流供給能力を高めたりする構成となっている。しかし、これらのような構成な安定化電源装置を搭載した装置では、負荷変動の期間における消費電力が増大してしまう。【解決手段】  撮像手段の電源と表示手段に含まれるバックライトの電源とを共通とし、撮像手段に供給される電流とバックライトに供給される電流との和の変動量が撮像手段に供給される電流の変動量以下となるようにバックライトに供給される電流を制御する。【選択図】  図１
2009130427.tif 000002
【特許請求の範囲】
【請求項１】
被写体を撮像する撮像手段と、
表示部と前記表示部に光を照射するバックライトとを有する表示手段と、
前記撮像手段と前記バックライトに電源を供給する電源供給手段と、
前記電源供給手段から前記バックライトに供給される電流を制御する電流制御手段とを有し、
前記電流制御手段は、前記撮像手段に供給される電流と前記バックライトに供給される電流との和の変動量が前記撮像手段に供給される電流の変動量以下となるように前記バックライトに供給される電流を制御することを特徴とする撮像装置。
【請求項２】
前記撮像手段に供給される電流が変動するタイミングおよび変動量を表す電流パターン情報を記憶する記憶手段を有し、
前記電流制御手段は、前記記憶手段に記憶された電流パターン情報に基づいて前記バックライトに供給される電流を制御することを特徴とする請求項１に記載の撮像装置。
【請求項３】
前記記憶手段は、前記撮像装置の動作モードおよび入力変化ごとに異なる前記電流パターン情報を複数記憶しており、
前記電流制御手段は、前記撮像装置の動作モードおよび入力変化に対応した前記電流パターン情報に基づいて前記バックライトに供給される電流を制御することを特徴とする請求項２に記載の撮像装置。
【請求項４】
前記電源供給手段から前記撮像手段に供給される電流を検出する電流検出手段を有し、
前記電流制御手段は、前記電流検出手段により検出された電流に基づいて前記バックライトに供給される電流を制御することを特徴とする請求項１に記載の撮像装置。
【請求項５】
前記電流制御手段は、前記バックライトに供給される電流を定電流制御する定電流調光手段と、前記バックライトに供給される電流をスイッチング制御するスイッチング調光手段とを有し、
前記撮像手段に供給される電流の変動に合わせて前記バックライトに供給される電流をスイッチング制御することを特徴とする請求項１乃至４のいずれか１項に記載の撮像装置。
【請求項６】
前記電流制御手段は、前記バックライトの明るさに応じた、前記定電流制御する電流と前記スイッチング制御する電流および前記スイッチング制御のオンデューティー比をそれぞれ算出する調光演算手段を有し、
前記調光演算手段の算出結果に基づいて前記バックライトに供給される電流を定電流制御およびスイッチング制御することを特徴とする請求項５に記載の撮像装置。
【請求項７】
前記電流制御手段は、前記撮像手段に供給される電流との和が一定となるように前記バックライトに供給される電流を制御することを特徴とする請求項１乃至６のいずれか１項に記載の撮像装置。
【請求項８】
被写体を撮像する撮像手段と、表示部と前記表示部に光を照射するバックライトとを有する表示手段と、前記撮像手段と前記バックライトに電源を供給する電源供給手段と、を有する撮像装置の電流制御方法であって、
前記撮像手段に供給される電流と前記バックライトに供給される電流との和の変動量が前記撮像手段に供給される電流の変動量以下となるように前記バックライトに供給される電流を制御する電流制御ステップを有することを特徴とする撮像装置の電流制御方法。
【請求項９】
前記撮像手段に供給される電流が変動するタイミングおよび変動量を表す電流パターン情報を記憶手段から読み出す読み出しステップを有し、
前記電流制御ステップは、前記読み出しステップで読み出した電流パターン情報に基づいて前記バックライトに供給される電流を制御することを特徴とする請求項８に記載の撮像装置の電流制御方法。
【請求項１０】
前記記憶手段は、前記撮像装置の動作モードおよび入力変化ごとに異なる前記電流パターン情報を複数記憶しており、
前記読み出しステップは、前記撮像装置の動作モードおよび入力変化に対応した前記電流パターン情報を前記記憶手段から読み出すことを特徴とする請求項９に記載の撮像装置の電流制御方法。
【請求項１１】
前記電源供給手段から前記撮像手段に供給される電流を検出する電流検出ステップを有し、
前記電流制御ステップは、前記電流検出ステップで検出した電流に基づいて前記バックライトに供給される電流を制御することを特徴とする請求項８に記載の撮像装置の電流制御方法。
【請求項１２】
前記電流制御ステップは、前記バックライトに供給される電流を定電流制御する定電流調光ステップと、前記バックライトに供給される電流をスイッチング制御するスイッチング調光ステップとを有し、
前記撮像手段に供給される電流の変動に合わせて前記バックライトに供給される電流をスイッチング制御することを特徴とする請求項８乃至１１のいずれか１項に記載の撮像装置の電流制御方法。
【請求項１３】
前記電流制御ステップは、前記バックライトの明るさに応じた、前記定電流制御する電流と前記スイッチング制御する電流および前記スイッチング制御のオンデューティー比をそれぞれ算出する調光演算ステップを有し、
前記調光演算ステップの算出結果に基づいて前記バックライトに供給される電流を定電流制御およびスイッチング制御することを特徴とする請求項１２に記載の撮像装置の電流制御方法。
【請求項１４】
前記電流制御ステップは、前記撮像手段に供給される電流との和が一定となるように前記バックライトに供給される電流を制御することを特徴とする請求項８乃至１３のいずれか１項に記載の撮像装置の電流制御方法。
【発明の詳細な説明】
【技術分野】
【０００１】
本発明は撮像装置およびその電流制御方法に関し、特に、バックライトを有する表示手段を備えた撮像装置に関するものである。
【背景技術】
【０００２】
従来、ＴＶやビデオカメラ等、映像信号期間と帰線期間を持つ信号を処理する撮像装置は、フレームトランスファと呼ばれる高速電荷転送が帰線期間に行われるため、映像信号期間と比較すると倍程度の電力が帰線期間に消費される。このとき、供給電源の電流供給能力が低く、電源電圧を一定に保つだけの十分な容量を有していない場合、図９の様に電源電圧が変動する。図９は、撮像装置の消費電流変動と電源電圧変動を示すタイミング図を示している。この電源電圧変動により、負荷が重い帰線期間終了後の映像信号初頭の期間において、映像信号が歪んでしまい映像にノイズがのってしまう。またさらに、電源電圧変動によって、その電源系統に使用されている例えばセラミックコンデンサやインダクタのような電子部品の共振を音源とする音鳴りが発生し、動画や音声記録時にはこの音が雑音として録音されてしまうという問題が生じる。
【０００３】
これらの問題を解決するため、電源電圧の変動を一般的にはコンデンサ容量を大きくすることで抑えるが、重量及び体積をなるべく増大させずに解決しようとするものが特開平７−１３１６９１号公報（以下、特許文献１）に記載されている。
【０００４】
特許文献１に記載の技術を図１０を用いて説明する。３０１は非安定化電源、３０２は制御部、３０３は比較部、３０４は基準電圧、３０５は負荷（ＣＣＤ撮像装置）、３０６はスイッチ、３０７は副制御部である。非安定化電源３０１から出力された電圧Ｖ１を受けた制御部３０２および副制御部３０７を含めた回路により、負荷３０５に安定電圧Ｖがかかっているものとする。この電圧Ｖを安定させる方法について述べる。基準電圧３０４の電圧Ｖ０を基準とし、例えば、負荷が重い帰線期間において、負荷３０５にかかる電圧がＶ＝Ｖ０＋ΔＶであったとする。帰線期間の間は、垂直ドライブパルスがスイッチ３０６に入力され、副制御部３０７が動作する。副制御部３０７は、比較部３０３で検出した差電圧ΔＶを受け、差電圧ΔＶが０になる方向に電圧Ｖ２を出力する。Ｖ２は供給したい安定電圧とほぼ等価にしておく。以上のように、帰線期間と同じ時間幅である垂直ドライブパルスを制御信号として用いており、この期間だけ電流供給能力を高めることで負荷変動に対する電源電圧変動を抑えている。また、帰線期間のみ電流供給能力を高めるので、全期間の電流供給能力を一律高める場合と比較し安定化電源装置の重量および体積を低減できるとしている。
【特許文献１】特開平７−１３１６９１号公報
【発明の開示】
【発明が解決しようとする課題】
【０００５】
しかしながら、特許文献１は、負荷が重い帰線期間は電流供給能力を高めて安定した電圧を供給しようとするものであるが、電流供給能力を高める構成になっているので帰線期間の撮像装置全体としての消費電力が大きくなってしまう。
【課題を解決するための手段】
【０００６】
本発明の撮像装置は、被写体を撮像する撮像手段と、表示部と前記表示部に光を照射するバックライトとを有する表示手段と、前記撮像手段と前記バックライトに電源を供給する電源供給手段と、前記電源供給手段から前記バックライトに供給される電流を制御する電流制御手段とを有し、前記電流制御手段は、前記撮像手段に供給される電流と前記バックライトに供給される電流との和の変動量が前記撮像手段に供給される電流の変動量以下となるように前記バックライトに供給される電流を制御することを特徴としている。
【発明の効果】
【０００７】
本発明によれば、撮像装置の消費電力を増大させることなく電源電圧変動を抑えることができる。
【発明を実施するための最良の形態】
【０００８】
（第１の実施形態）
図７は、本実施形態の撮像装置の構成を説明するブロック図である。２０１は被写体の光学像を固体撮像素子２０３に結像させるレンズである。２０２はシャッター機能を有しレンズ２０１を通った光量を制御するための絞りを兼ねた絞り兼用シャッターである。２０３はレンズ２０１で結像された被写体光を電気信号として取り込むための固体撮像素子である。２０４は固体撮像素子２０３より出力される電気信号のクロックの除去やノイズの軽減するための相関二重サンプリングを行うＣＤＳ部である。２０５はＣＤＳ部２０４の出力信号を後述のタイミングパルス発生部２０８から供給されるクランプパルスのタイミングで所定の基準電圧にクランプするクランプ回路部である。２０６はクランプ出力の信号をアナログ信号からデジタル信号に変換するＡ／Ｄ変換部である。２０７は表示や記録などをするために所定の形式となるように種々の信号処理や変換を行う信号処理部である。２０８は固体撮像素子２０３、ＣＤＳ部２０４、クランプ回路部２０５およびＡ／Ｄ変換部２０６へ必要なパルスを発生するタイミングパルス発生部である。２０９はレンズ２０１や絞り兼用シャッター２０２を駆動するための光学系駆動部である。２１０は撮像装置全体の制御及び各種演算を行うＣＰＵである。２１１は信号処理部２０７からの信号を受け画像を表示するＬＣＤ等からなる表示部である。２１２は画像データの記録又は読み出しを行うための半導体メモリ等の記録媒体である。２１３は撮像装置全体に電源を供給する電源制御部である。２１４は撮像装置の電源をオン、オフするためのメインスイッチ、撮像装置の動作モード設定、変更を行う各種ボタンおよびレリーズスイッチなどからなる操作部である。２１５はアルカリ電池やリチウム電池等の一次電池、ＮｉＣｄ電池やＮｉＭＨ電池等の二次電池、あるいは、ＡＣアダプタ等からなる電源部である。
【０００９】
次に、本実施形態の撮像装置の基本動作を図８のフローチャートを用いて説明する。操作部２１４のメインスイッチがオンされると（Ｓ３０１）電源制御部２１３は動作を開始し、メイン電源およびコントロール系の電源を供給する。撮像装置の動作モードが撮影または再生かをＣＰＵ２１０で判断し（Ｓ３０２）撮影モードであれば撮影シーケンスに入る。再生モードであった場合は再生シーケンスに行き、記録媒体２１２からデータを一旦信号処理部２０７に取り込み（Ｓ３１９）表示のための信号処理を行い、表示部２１１に画像を表示する（Ｓ３２０）。その後、操作部２１４のメインスイッチがオフされたら（Ｓ３２１）表示部２１１は画像の表示を中止し、電源制御部２１３は電源の供給を中止する。一方、Ｓ３０２の判断において撮影シーケンスに入った場合、光学系駆動部２０９はＡＦレンズのレンズ位置をリセット位置まで駆動させ、電源制御部２１３は固体撮像素子２０３やタイミングパルス発生部２０８など撮像系回路の電源を供給する（Ｓ３０３）。次に、光学系駆動部２０９は絞り兼用シャッター２０２を開放にする（Ｓ３０４）。その後、測光シーケンスに入り、固体撮像素子２０３を通った信号をＣＤＳ部２０４で相関二重サンプリング、クランプ回路部２０５でＯＢ部をクランプ、Ａ／Ｄ変換部２０６でＡ／Ｄ変換を行う。そして、その変換された画像データを信号処理部２０７で処理し、更にＣＰＵ２１０に入力しここで測光値から露出制御値を演算する（Ｓ３０５）。この演算結果に応じてＣＰＵ２１０はプログラム線図により、絞りおよびシャッタースピードを決定し制御する（Ｓ３０６）。次に、信号処理部２０７からの信号をもとに表示部２１１に画像を表示する表示モードが選択されているかどうかを判断する（Ｓ３０７）。そして、表示モードが選択されている場合は表示部２１１に画像の表示を行い（Ｓ３０８）、そうでない場合はレリーズスイッチの第１のスイッチがオンされるまで待機する。第１のスイッチがオンされると（Ｓ３０９）、再び測光シーケンスに入り測光および演算を行い（Ｓ３１０）、その結果に応じてＣＰＵ２１０は再度プログラム線図により、絞りおよびシャッタースピードを決定し制御する（Ｓ３１１）。次に、固体撮像素子２０３、ＣＤＳ部２０４、クランプ回路部２０５、Ａ／Ｄ変換部２０６を通った信号から信号処理部２０７で高周波成分を取り出し被写体までの距離の演算をＣＰＵ２１０で行う（Ｓ３１２）。その後、ＣＰＵ２１０は被写体に合焦しているか否かを判断し（Ｓ３１３）、合焦していないと判断したときは再び光学系駆動部２０９によりレンズを駆動してからＳ３１２を行う。合焦後、レリーズスイッチの第２のスイッチがオンされるまで待機し、第２のスイッチがオンされたら（Ｓ３１４）静止画の撮影を行う（Ｓ３１５）。撮影を行うと、固体撮像素子２０３、ＣＤＳ部２０４、クランプ回路部２０５、Ａ／Ｄ変換部２０６を通った画像データは信号処理部２０７で所定の信号処理を行い、ＣＰＵ２１０の制御により半導体メモリ等の記録媒体２１２に記録される。第２のスイッチが所定の時間より長い時間オンされ続けていた場合は（Ｓ３１６）、表示部２１１に撮影した画像を表示し（Ｓ３１７）第２のスイッチがオフされるまで表示を続ける。Ｓ３１６で第２のスイッチがオンされてから所定の時間内にオフされた場合は、表示は行わずに撮影を終了する。操作部２１４のメインスイッチがオフされていなければ（Ｓ３１８）、レリーズスイッチの第１のスイッチが押されるまでのシーケンスを再度行い待機する。操作部２１４のメインスイッチがオフされれば、電源制御部２１３は電源の供給を中止する。
【００１０】
次に、本実施形態における電源制御部２１３から供給される電流の制御について説明する。
【００１１】
図１は電流の制御に関係する部分を示したブロック図である。２は後述の撮像手段３およびバックライト４で必要な所定の電圧に変換する電源供給手段であり、撮像手段３の電源とバックライト４の電源は共通となる構成をとっている。３は固体撮像素子２０３やタイミングパルス発生部２０８などの撮像手段である。４はＬＣＤ等の表示部２１１の画像表示面に裏から光を照射するバックライトであり表示部２１１に含まれる。５は後述のバックライト電流パターン記憶メモリ６に記憶された電流パターン情報に基づきバックライト４の電流を制御するバックライト電流制御手段である。６はバックライト４の電流パターン情報を複数記憶したバックライト電流パターン記憶メモリである。電源供給手段２、バックライト電流制御手段５およびバックライト電流パターン記憶メモリ６は、電源制御部２１３に含まれている。
【００１２】
なお、バックライト電流パターン記憶メモリ６には図２に示したような、撮像手段３の消費電流とバックライト４の電流との和が一定になるように設定されたバックライト４の電流パターン情報が記憶されている。この電流パターン情報は、操作部２１４による撮像装置の各動作モード設定や入力変化などにより異なる撮像手段３の消費電流パターンそれぞれに対応した情報であり、図２に示したパターンに限らない。また、電流パターン情報は、操作部２１４による撮像装置の各動作モード設定や入力変化などで撮像手段３の消費電流パターンがどのようになるかをあらかじめ実測し、その結果に対応するようにバックライト４の電流パターンを設定したものである。また、操作部２１４によりバックライト４の明るさが変更可能な場合、変更可能なバックライト４の明るさそれぞれにも対応した電流パターン情報を記憶しておけばよい。
【００１３】
ＣＰＵ２１０は操作部２１４からの入力信号を受け、撮像手段３およびバックライト電流制御手段５に入力内容を伝達する。バックライト電流制御手段５は、伝達された入力内容に対応した電流パターン情報をバックライト電流パターン記憶メモリ６から読み出しバックライト４の電流の制御を行う。
【００１４】
以上のことから、電源供給手段２から撮像手段３およびバックライト４に供給される電流の和は一定に制御されるため、撮像手段３の消費電流変動による電源電圧変動が抑えられる。また、撮像手段３の消費電流変動に応じてバックライト４に供給する電流を制御するので、撮像装置の消費電力を増大させることなく電源電圧変動を抑えることができる。
【００１５】
（第２の実施形態）
本発明の第２の実施形態を以下に説明する。
【００１６】
本実施形態の撮像装置の構成を説明するブロック図は図７であり、第一の実施形態と同様の構成であるので説明は省略する。
【００１７】
図３は本実施形態における電流の制御に関係する部分を示したブロック図である。１２は後述の撮像手段１３およびバックライト１４で必要な所定の電圧に変換する電源供給手段であり、撮像手段１３の電源とバックライト１４の電源は共通となる構成をとっている。１３は固体撮像素子２０３やタイミングパルス発生部２０８などの撮像手段である。１４はＬＣＤ等のバックライトであり表示部２１１に含まれる。１５はバックライト１４の電流を制御するバックライト電流制御手段である。１６は撮像手段１３の消費電流を検出する電流検出手段である。１９は撮像手段１３の消費電流を検出するための電流検出抵抗である。電源供給手段１２、バックライト電流制御手段１５、電流検出手段１６および電流検出抵抗１９は、電源制御部２１３に含まれている。
【００１８】
電流検出手段１６は撮像手段１３の消費電流を常時検出し、検出結果をバックライト電流制御手段１５に伝達する。バックライト電流制御手段１５は伝達された検出結果に基づいて、撮像手段１３の消費電流との和が一定となるようにバックライト１４の電流の制御を行う。
【００１９】
以上のことから電源供給手段１２から撮像手段１３およびバックライト１４に供給される電流の和は一定に制御されるため、撮像手段１３の消費電流変動による電源電圧変動が抑えられる。また、撮像手段１３の消費電流変動に応じてバックライト１４に供給する電流を制御するので、撮像装置の消費電力を増大させることなく電源電圧変動を抑えることができる。また、撮像手段１３の消費電流を常時検出しているためさらに精度よく電源電圧変動を抑えることが可能となる。
【００２０】
（第３の実施形態）
本発明の第３の実施形態を以下に説明する。
【００２１】
本実施形態の撮像装置の構成を説明するブロック図は図７であり、第一の実施形態と同様の構成であるので説明は省略する。
【００２２】
図４は本実施形態における電流の制御に関係する部分を示したブロック図である。５２は撮像手段５３およびバックライト５４で必要な所定の電圧に変換する電源供給手段であり、撮像手段５３の電源とバックライト５４の電源は共通となる構成をとっている。５３は固体撮像素子２０３やタイミングパルス発生部２０８などの撮像手段である。５４はＬＣＤ等のバックライトであり表示部２１１に含まれる。また、バックライト５４の明るさはユーザが操作部２１４を操作することで設定が可能である。５５はバックライト５４の電流を制御するバックライト電流制御手段で、後述のスイッチング調光手段６０、定電流調光手段６３および調光演算手段６６で構成されている。５６は撮像手段５３の消費電流を検出する電流検出手段である。５９は撮像手段５３の消費電流を検出するための電流検出抵抗である。６０はバックライト５４の電流をスイッチング制御するスイッチング調光手段でスイッチ６１、可変抵抗６２およびスイッチング調光制御手段６７で構成されている。６３はバックライト５４の電流を定電流で制御する定電流調光手段でスイッチ６４、可変抵抗６５および定電流調光制御手段で構成されている。６６はスイッチング調光手段６０および定電流調光手段６３の動作パラメータを算出する調光演算手段である。６７は調光演算手段６６の算出結果に基づき、スイッチ６１および可変抵抗６２の制御を行うスイッチング調光制御手段である。６８は調光演算手段６６の算出結果に基づき、スイッチ６４および可変抵抗６５の制御を行う定電流調光制御手段である。電源供給手段５２、バックライト電流制御手段５５、電流検出手段５６および電流検出抵抗５９は、電源制御部２１３に含まれている。
【００２３】
本実施形態の撮像手段５３の消費電流およびバックライト電流制御手段５５により制御されたスイッチング調光手段６０、定電流調光手段６３のそれぞれに供給される電流を図５に示す。スイッチ６１は撮像手段５３の水平読み出し停止期間にスイッチングを行う。バックライト５４に供給される電流はスイッチング調光手段６０と定電流調光手段６３で制御された電流の和となる。電流検出手段５６は撮像手段５３の消費電流を常時検出し、検出結果を調光演算手段６６に伝達する。調光演算手段６６はバックライト５４の明るさがユーザの設定した明るさとなるように、スイッチング調光手段６０の最大電流、オンデューティー比および定電流調光手段６３の定常電流を算出する。このとき、電流検出手段５６から伝達された検出結果に基づいて、撮像手段５３の消費電流とバックライト５４に供給される電流の和の変動が小さくなるようにそれぞれの値を算出する。
【００２４】
次に、調光演算手段６６の算出方法を示すフローチャートを図６に示す。電流検出手段５６から検出された撮像手段５３の消費電流の最大値および最小値を取得し（Ｓ１）、取得した撮像手段５３の消費電流の最大値と最小値との差を算出する（Ｓ２）。Ｓ２での算出結果をスイッチング調光手段６０の電流の最大値とし、スイッチング調光制御手段６７は、スイッチ６１がオンした状態においてスイッチング調光手段６０の電流がＳ２で算出した電流値となるように可変抵抗６２の抵抗値を設定する（Ｓ３）。スイッチ６１のオンデューティー比の値を設定可能な最大値とした状態でのバックライト５４の電流の平均値が、操作部２１４により設定された明るさにするのに必要なバックライト５４の電流の平均値と等しくなるような可変抵抗６５の抵抗値を算出する（Ｓ４）。Ｓ４で算出された抵抗値に可変抵抗６５の抵抗値が変更できるかどうかを判断し（Ｓ５）、変更できる場合には、定電流調光制御手段６８は可変抵抗６５の抵抗値をＳ４で算出された抵抗値に設定する（Ｓ６）。Ｓ４で算出された抵抗値に可変抵抗６５が変更できない場合、定電流調光制御手段６８は可変抵抗６５の抵抗値を最大値に設定する（Ｓ７）。すなわち、定電流調光手段６３の電流が設定可能な最小値となるようにする。次に調光演算手段６６は、バックライト５４の電流の平均値が、操作部２１４により設定された明るさにするのに必要なバックライト５４の電流の平均値と等しくなるようなスイッチ６１のオンデューティー比の値を算出する（Ｓ８）。Ｓ８で算出されたオンデューティー比の値にスイッチ６１のオンデューティー比の値が変更できるかどうかを判断し（Ｓ９）、変更できる場合には、スイッチング調光制御手段６７はスイッチ６１のオンデューティー比の値をＳ８で算出された値に設定する（Ｓ１０）。Ｓ８で算出されたオンデューティー比の値にスイッチ６１のオンデューティー比の値が変更できない場合、スイッチ６１のオンデューティー比の値を最小値に設定する（Ｓ１１）。すなわち、スイッチング調光手段６０の電流の最大値がＳ３で設定した値である状態において、スイッチング調光手段６０の電流の平均値が設定可能な最小値となるようにする。次に、調光演算手段６６はバックライト５４の電流の平均値が操作部２１４により設定された明るさにするのに必要なバックライト５４の電流の平均値と等しくなるようなスイッチング調光手段６０の電流の最大値を算出する（Ｓ１２）。スイッチング調光制御手段６７は可変抵抗６２の抵抗値をＳ１０で算出された抵抗値に設定する（Ｓ１３）。
【００２５】
以上のフローチャートにより、バックライト５４をユーザの設定した明るさにしつつ、撮像手段５３およびバックライト５４に供給される電流の和の変動を抑える。
【００２６】
なお、本フローチャートは、バックライト５４をユーザが設定した明るさにすることを優先しているため、ユーザの設定によっては電源供給手段２から撮像手段３およびバックライト４に供給される電流の和が一定とならない場合がある。そこで、電源供給手段２から撮像手段３およびバックライト４に供給される電流の和を一定にすることを優先するのであれば、Ｓ１０およびＳ１１を省略すればよい。
【００２７】
以上のことから、電源供給手段５２から撮像手段５３およびバックライト５４に供給される電流の和の変動量を撮像手段５３の消費電流の変動量以下にすることで、撮像手段５３の消費電流変動による電源電圧変動が抑えられる。また、撮像手段５３の消費電流変動に応じてバックライト５４に供給する電流を制御するので、撮像装置の消費電力を増大させることなく電源電圧変動を抑えることができる。また、バックライト５４の電流をスイッチング制御することで、電源電圧変動による電源系統に使用されている電子部品の共振の周波数を高周波領域へシフトすることができ、共振を音源とした音鳴りが発生しても聞こえなくすることができる。また、バックライト５４の電流を定電流制御およびスイッチング制御することで、撮像手段５３の消費電流変動による電源電圧変動を抑えながらバックライト５４の明るさを任意に変えることができる。
【００２８】
なお、本実施形態では、スイッチング調光手段６０にあるスイッチ６１のオンデューティー比を変更することにより制御を行ったが、オンデューティー比を周波数に置き換えても同様の効果が得られる。
【００２９】
また、電流検出手段５６で撮像手段５３の消費電流を検出する構成としたが、第１の実施形態のように、電流パターン情報をあらかじめ記憶しておき、その電流パターン情報に基づいてバックライト５４に供給する電流を制御してもよい。
【図面の簡単な説明】
【００３０】
【図１】第１の実施形態を示すブロック図
【図２】バックライト電流パターン記憶メモリ内部に記憶されているデータ図
【図３】第２の実施形態を示すブロック図
【図４】第３の実施形態を示すブロック図
【図５】第３の実施形態における電流制御タイミング図
【図６】調光演算手段の算出方法を示すフローチャート
【図７】本発明の実施形態である撮像装置の構成図
【図８】本発明の実施形態である撮像装置の基本動作を示すフローチャート
【図９】撮像消費電流と電源変動を示すタイミング図
【図１０】引用文献１の構成を示すブロック図
【符号の説明】
【００３１】
２、１２、５２  電源供給手段
３、１３、５３  撮像手段
４、１４、５４  バックライト
５、１５、５５  バックライト電流制御手段
６  バックライト電流パターン記憶メモリ
１６、５６  電流検出手段
１９、５９  電流検出抵抗
６０  スイッチング調光手段
６１  スイッチ
６２、６５  可変抵抗
６３  定電流調光手段
６４  スイッチ
６６  調光演算手段
６７  スイッチング調光制御手段
６８  定電流調光制御手段
２０１  レンズ
２０２  絞り兼用シャッター
２０３  固体撮像素子
２０４  ＣＤＳ部
２０５  クランプ回路部
２０６  Ａ／Ｄ変換部
２０７  信号処理部
２０８  タイミングパルス発生部
２０９  光学系駆動部
２００  ＣＰＵ
２１１  表示部
２１２  記録媒体
２１３  電源制御部
２１４  操作部
２１５  電源部
【図１】
2009130427.tif 000003
【図２】
2009130427.tif 000004
【図３】
2009130427.tif 000005
【図４】
2009130427.tif 000006
【図５】
2009130427.tif 000007
【図６】
2009130427.tif 000008
【図７】
2009130427.tif 000009
【図８】
2009130427.tif 000010
【図９】
2009130427.tif 000011
【図１０】
2009130427.tif 000012